(57)【要約】【課題】  歪取りの矯正作業をなくした薄手のケース素材及び携帯用の電子機器ケースを提供する。【解決手段】  ケース素材は、チタン、チタン合金、ジュラルミン、マグネシウム、マグネシウム合金等の単一板、集成板、これらの金属又は合金とプラスチックからなる合成板からなり、薄手の板厚ｔ１を有し、その最大面２の縁部には、略直角に延びる折り曲げ部分３が形成されている。前記最大面は、その表裏面側の一方又は両方には、波形形状、溝形状、凹部又は凸部からなる補強用のリブ４が一定ピッチ又はランダムに設けられる。ケース用素材１は、上蓋部材１１及び基台部材１２に利用され、携帯用の電子機器ケース２０に応用される。【選択図】  図１
2005303239.tif 000002
【特許請求の範囲】
【請求項１】
薄手の板厚を有し、その最大面の縁部には、略直角に延びる折り曲げ部分が形成されるようにしたケース素材において、
前記素材は、チタン、チタン合金、ジュラルミン、マグネシウム、マグネシウム合金等の単一板、集成板、これらの金属又は合金とプラスチックとからなる合成板からなっており、また前記最大面の表裏面側の一方又は両方には、波板形状、溝形状、凹部又は凸部からなる補強用のリブが設けられていることを特徴とするケース用素材。
【請求項２】
前記最大面は、その板厚ｔ１を０．５〜４ｍｍ、折り曲げ部分の高さｈを１０ｍｍ以下、折り曲げ部分の厚さｔ２を前記板厚の１０倍以下で設定している請求項１のケース用素材。
【請求項３】
前記補強用のリブは、板厚ｔ１の範囲内で、０．１ｍｍ以上の深さｄを有する波形形状、溝形状又は凹凸部により形成される請求項１又は請求項２記載のケース用素材。
【請求項４】
一対の上蓋部材及び基台部材が蝶番の利用によって開閉可能になっているケース用素材を適用した携帯用の電子機器ケースにおいて、
前記ケース用素材は、チタン、チタン合金、ジュラルミン、マグネシウム、マグネシウム合金等の単一板、集成板、これらの金属又は合金とプラスチックからなる合成板からなっており、また前記最大面の表裏面側の一方又は両方には、波板形状、溝形状、凹部又は凸部からなる補強用のリブが設けられているとともに、少なくともその表面側には、仕上げ用の被覆層が形成されていることを特徴とする携帯用の電子機器ケース。
【請求項５】
前記最大面は、その板厚ｔ１を０．５〜４ｍｍ、折り曲げ部分の高さｈを１０ｍｍ以下、折り曲げ部分の厚さｔ２を前記板厚ｔ１の１０倍以下で設定している請求項４記載の携帯用の電子機器ケース。
【請求項６】
前記補強用のリブは、板厚ｔ１の範囲内で、０．１ｍｍ以上の深さｄを有する波形形状、溝形状又は凹凸部により形成される請求項４又は請求項５記載の携帯用の電子機器ケース。
【発明の詳細な説明】
【発明の詳細な説明】
【技術分野】
【０００１】  本発明は、ケース用素材及び携帯用の電子機器ケースに関し、特に、ケース素材を改善することにより、歪矯正の作業がなく、また持ち運び時の落下防止が図れるようにしたケース用素材の製造技術に関する。
【背景技術】
【０００２】  従来、この種の素材ケースは、通常、アルミダイキャストで製造され、またこの素材ケースを適用した携帯用の電子機器ケースは、液晶画面などを備えた上蓋部材及びキーボードなどを備えた基台部材から構成されている。また、上蓋部材及び基台部材の表面部分は、被覆層で仕上げられている。
【発明が解決しようとする課題】
【０００３】    このようなことから、前述したケース用素材は、その製造にあたって、板厚が薄いことから成形時に歪が発生するため、歪を取り除く作業が必要になるという問題点があった。
また、携帯用の電気機器ケースは、ケース表面が平滑であるため、手が滑って落とすことがあり、電子回路の損傷事故などにつながるおそれがあった。
【０００４】  本発明は、上記従来の問題点に鑑みなされたものであって、ケース素材の構成を改善することにより、成形時に発生する歪矯正をなくすこと目的とし、また持ち運び時の落下防止が図れることを目的としている。
【課題を解決するための手段】
【０００５】  本発明に係る請求項１記載のケース用素材は、薄手の板厚を有し、その最大面の縁部には、略直角に延びる折り曲げ部分が形成されるようにしたケース素材において、前記素材は、チタン、チタン合金、ジュラルミン、マグネシウム、マグネシウム合金等の単板、集成板、これらの金属又は合金とプラスチックからなる合成板からなっており、また前記最大面の表裏面側の一方又は両方には、波板形状、溝形状、凹部又は凸部からなる補強用のリブが設けられていることを特徴とする。
【０００６】  上記構成によれば、素材がチタン、チタン合金、ジュラルミン、マグネシウム，マグネシウム合金等の単一板、集成板、これらの金属又は合金とプラスチックからなる合成板からなっているため、強度があり、また軽量化が図られている。
また、最大面の表裏面側の一方又は両方には、補強用のリブが設けられているため、剛性も充分高められるようになっている。
【０００７】  請求項２記載のケース用素材は、前記最大面の板厚ｔ１を０．５〜４ｍｍ、折り曲げ部分の高さｈを１０ｍｍ以下、折り曲げ部分の厚さｔ２を前記板厚ｔ１の１０倍以下で設定している請求項１のケース用素材である。
上記構成によれば、その形状及び構造が特定されたことから、好適なケース素材として利用できる。この場合、最大面の板厚、折り曲げ部分の高さ及び厚みなどの特定は、使い勝手や各種の実験等から有効値として選択したものである。
【０００８】  請求項３記載のケース素材では、前記補強用のリブは、板厚ｔ１の範囲内で、０．１ｍｍ以上の深さｄを有する波形形状、溝形状又は凹凸部により形成される請求項１又は請求項２記載のケース用素材である。
上記構成によれば、補強用のリブが、０．１ｍｍ以上の深さｄを有する波形形状などからなるため、歪の発生が抑えられ、従来必要とされた歪とり作業がなくなる。またケース素材としても、強度的に充分高められたものになる。
【０００９】  また、請求項４記載の携帯用の電子機器ケースは、一対の上蓋部材及び基台部材が蝶番の利用によって開閉可能になっているケース用素材を適用した携帯用の電子機器ケースにおいて、前記ケース用素材は、チタン、チタン合金、ジュラルミン、マグネシウム、マグネシウム合金等の単板、集成板、これらの金属又は合金とプラスチックからなる合成板からなっており、また前記最大面の表裏面側の一方又は両方には、波板形状、溝形状、凹部又は凸部からなる補強用のリブが設けられているとともに、少なくともその表面側には、仕上げ用の被覆層が形成されていることを特徴とする。
【００１０】  上記構成によれば、ケース用素材は、チタン、チタン合金、ジュラルミン、マグネシウム、マグネシウム合金等の単板、集成板、これらの金属又は合金とプラスチックからなる合成板からなっている。このため、強度が高く、また軽量化が図られている。そして、最大面側には、補強リブが設けられ、また仕上げ用の被覆層が形成されているため、強度も高く、きれいな仕上げになっている。
【００１１】  請求項５記載の携帯用の電子機器ケースは、前記最大面の板厚ｔ１を０．５〜４ｍｍ、折り曲げ部分の高さｈを１０ｍｍ以下、厚さｔ２を前記板厚ｔ１の１０倍以下で設定している請求項４記載の携帯用の電子機器ケースである。
上記構成によれば、前記最大面形状及び構造が歪を発生させないように特定されたことから、好適な携帯用の電子機器ケースとして利用できる。この場合、最大面の板厚、折り曲げ部分の高さ及び厚みなどの特定は、前述したように使い勝手や各種の実験等から有効値として具体的に選択したものである。
【００１２】  請求項６記載の携帯用の電子機器ケースでは、前記補強用のリブは、板厚ｔ１の範囲内で、０．１ｍｍ以上の深さｄを有する波形形状、溝形状又は凹凸部により形成される請求項４又は請求項５記載の携帯用の電子機器ケースである。
上記構成によれば、補強用のリブが、０．１ｍｍ以上の深さｄを有する波形形状などからなるので、歪の発生が抑えられ、しかも強度的にも充分高められているものになる。
【発明を実施するための最良の形態】
【００１３】  以下、本発明に係るケース用素材及び携帯用の電子機器ケースについて、添付図面に基づいて詳細に説明する。図１は、本発明の第１実施形態に係るケース用素材を概念的に示した斜視図である。【００１４】  第１実施形態のケース用素材１は、チタン、チタン合金、ジュラルミン、マグネシウム、マグネシウム合金等の単一板、集成板、これらの金属又は合金とプラスチックからなる合成板からなる。通常ダイキャスト、プレス加工などで形成されるが、合成板の場合には、粉末の混合状態から適用する射出成型などが好適する。これらの素材を選択したのは、取扱い上の観点から、強度及び軽量化を図る配慮である。また、集成板を適用するのは、表裏面で材質を変えることにより、強度を高め、ツートンカラーの機能を持たせたものである。
そして、これらのケース素材１は、薄手の板厚ｔ１を有し、その最大面２の縁部には、略直角に延びる折り曲げ部分３が形成されている。この場合、最大面２は、例えば１ｍ２以下好ましくは１，０００ｃｍ２以下の面積を有する長方形であり、その板厚ｔ１は、０．５〜４ｍｍ、折り曲げ部分３は、その高さｈが１０ｍｍ以下で、縁の厚さｔ２が前記板厚ｔ１の１０倍以下に設定される。これらは、歪取り作業の省略に関連して強度を付加する観点から設定されている。また、前記最大面２の形状は、長方形が一般的であるが、その用途などから正方形、円形、楕円形などの形状を適宜採用し得る。【００１５】  さらに、この最大面２の表面側には、図１のＡ部分を拡大した図２（ａ）〜（ｄ）及び図３（ａ）〜（ｃ）で示されるような補強用のリブ４が一定のピッチｐ又はランダムのピッチｐ１、ｐ２で形成されている。なお、最大面２は、板厚ｔ１によって表面側だけでなく、裏面側、或いはこれらの双方に補強用のリブ４を形成できる。そして、この補強用のリブ４は、前述したケース素材１の強度付加に加えて、歪み取りの矯正作業工程を除去する配慮から形成したものである。
要するに、このケース素材１は、通常ダイキャストにより成型されるが、折り曲げ部分３の高さｈに比べて、最大面２の面積が大きいため、歪みの発生による矯正作業が必要になっていたことによる。
そして、前記補強用のリブ４は、板厚ｔ１の範囲内で、０．１ｍｍ以上の深さｄを有するもので、例えば図２（ａ）（ｂ）では、半円状又は三角状をなす波形形状、図２（ｃ）（ｄ）では、三角状、紡錘状をなす溝形状、図３（ａ）〜（ｃ）では、円形又は楕円状をなす凹部又は凸部などが一定のピッチｐ例えば０．２ｍｍのピッチで形成されている。もちろんピッチｐは、前述したようにランダムであってもよい。【００１６】  次に、本発明に係る携帯用の電子機器ケースについて説明するが、前述した第１実施形態と同様な構成部品には、同一符号を付して説明を省略または簡略化する。図４は、本発明の第２実施形態に係る携帯用の電子機器ケースを概念的に示す斜視図である。【００１７】  図４のケースは、長方形の箱形を呈するケース１０として示されているが、前記ケース素材１を利用して、一対の上蓋部材１１及び基台部材１２が構成され、適宜の手段例えば蝶番により開閉可能になっている。この場合、上蓋部材１１の表面部分１１ａは、図５で示されるように、金属などの被覆層１３によって仕上げられている。この被覆層１３は、焼き付け、ドブヅケ、コーティングなど適宜の手段で形成される。
なお、ケース１０に適用されたケース素材１の表裏面の一方又は両方には、前述した補強用のリブ４が形成されている。【００１８】  また、図６は、ノート形パソコン、モバイルツール等からなる携帯用の電子機器ケース２０に適用された斜視図が示されている。そして、上蓋部材１１及び基台部材１２は、蝶番１４により開閉可能になっている。
また、前記上蓋部材１１の内側には、液晶画面１５が備えられ、基台１２には、詳細を省略したキーボード１６、基盤回路（図示せず）などが備えられている。
なお、このようにして構成された携帯用の電子機器ケースは、前記素材ケース１から、上蓋部材１１及び基台部材１２が構成されるので、前述した補強用のリブ４及び仕上げ用の被覆層１３が形成されている。したがって、強度も高く携帯に便利なように構成されている。
【発明の効果】
【００１９】  以上説明したように、本発明に係るケース素材は、その最大面には、補強用のリブを形成したことから、歪の発生がなく、歪矯正の作業工程を省略できるという利点を有する。
【００１８】  また、本発明に係る携帯用の電子機器ケースは、携帯時に補強用のリブの存在により、手を滑らすことがなくなり、機器の損傷事故の発生も防止できるという利点を有する。
【図面の簡単な説明】
【図１】  本発明の第１実施形態に係るケース用素材の一実施例を示す概念的な斜視図である。
【図２】  図１のＡ部分の表面形状を概念的に示す説明図で、（ａ）〜（ｄ）は、一部拡大側面図である。
【図３】  図１のＡ部分の表面形状を概念的に示す説明図で、（ａ）は、一部拡大平面図、（ｂ）及び（ｃ）は、一部拡大側面図である。
【図４】  本発明の第２実施形態に係る携帯用の電子機器ケースの一実施例を示す概念的な斜視図である。
【図５】  図４の上蓋部材の断面構成を概念的に示す一部拡大断面図である。
【図６】  本発明の第３実施形態に係る携帯用の電子機器ケースにおける他の実施例を示す概念的な斜視図である。
【符号の説明】
１  ケース素材
２  最大面
３  折り曲げ部分
４  補強用のリブ
１０  ケース
１１  上蓋部材
１２  基台部材
１３  被覆層
１５  液晶画面
１６  キーボード
２０  携帯用の電子機器ケース
【図１】
2005303239.tif 000003
【図２】
2005303239.tif 000004
【図３】
2005303239.tif 000005
【図４】
2005303239.tif 000006
【図５】
2005303239.tif 000007
【図６】
2005303239.tif 000008